(57)【要約】【課題】  針付け構造の主要構成要素として四番車受けピンを備えた電波時計において、その平面的サイズを小さくすること。【解決手段】  電波時計は、地板４とプラスチック材の輪列受５を備えたムーブメントを有する。地板４には時計ケース１の外周に沿って湾曲したアンテナ収納凹部４ａが形成されている。アンテナ収納凹部４ａには、フェライトアンテナ８が収納されている。前記ムーブメントの裏側にはプラスチック材の針押し受座として機能するアンテナカバー１８が配置されている。アンテナカバー１８の段付貫通穴１３には、四番車の四番真１１の先端と或る一定の距離を設けて、金属ピン１２が取り付けられている。更に、フェライトアンテナ８の配置に影響されない地板４の外周部には複数の押上げ突起９が設けられ、アンテナカバー１８にも１個の押上げ突起１９が設けられている。【選択図】  図１
2006234436.tif 000002
【特許請求の範囲】
【請求項１】
円形の地板とプラスチック材の輪列受を備えたムーブメントを有し、前記地板のアンテナ収納凹部にアンテナを収納した電波時計において、
前記アンテナ収納凹部を前記地板の外周部にその外縁に近づけて形成し、前記ムーブメントの裏側にプラスチック材の針押し受座を配置し、四番車の四番真と或る一定の距離を設けて四番車受けピンを前記プラスチック材の針押し受座に取り付け、更に前記アンテナの配置に影響されない前記地板の外周部に複数の押上げ突起を設けたことを特徴とする電波時計。
【請求項２】
前記プラスチック材の針押し受座に押上げ突起を設けたことを特徴とする請求項１の電波時計。
【請求項３】
前記プラスチック材の針押し受座をアンテナカバーと兼用したことを特徴とする請求項１又は２の電波時計。
【発明の詳細な説明】
【技術分野】
【０００１】
本発明は、針付け構造の主要構成要素として四番車受けピンを備えた電波時計に関する。
【背景技術】
【０００２】
従来の携帯型電子時計において、プラスチック材の輪列受を用いたムーブメントは、秒針を付ける際に四番真の下に金属板を当てて、針付けによる四番車が輪列受に挫屈することを防止していた。また、ムーブメントの構造上、輪列受より背の高い部品が存在し、四番真を受けることができない場合、金属製の四番受けピンの如き金属部品を四番真の下に設ける構造をとっていた。例えば、特開２０００−１６２３３３号公報（特許文献１）には、金属製の四番車受けピンを、四番車の四番真と或る一定の距離を設けて電池枠に取り付けた携帯型電子時計が開示されている。針取り付け時の荷重は、四番車に加わり、そしてムーブメントのプラスチック材の輪列受に伝わる。一定荷重までは、輪列受の四番車支持部が弾性変形し、徐々に四番真は四番車受けピンの受け面に接近し、四番車受けピンの受け面に四番真が到達すると四番車受けピンは荷重を受け取る。四番車受けピンのつば受け部から電池枠に加わった荷重は、電池枠の裏蓋押上げ突起と四番車受けピンの台受け部に加わり、ムーブメントを置いた台に均等にかかる。これによって、時針、分針、秒針の各針がムーブメント状態で取付けができる。
【０００３】
ところで、従来のムーブメントにアンテナ部品を新たに配置したアンテナ付き携帯型電子時計、いわゆる携帯型電波時計が開発されたが、前記アンテナ部品はムーブメントを構成する部品の中で最大であるため、針押し構造に関して、以下に述べる如き問題が発生した。
【０００４】
即ち、特許文献１に開示されている金属製の四番車受けピンを備えた携帯型電波時計は、図４のムーブメントの裏側の平面図、及び図５のムーブメントの裏側を下にした断面図に示す如く、その外周部に６個の押上げ突起９が形成された円形の地板４と、地板４に取り付けられた回路基板６と、プラスチック材の輪列受５に保持された輪列と、地板４のアンテナ収納凹部４ａに収納されたアンテナ８と、電池１０を収納した電池枠２０と、電池枠２０に取り付けられた金属ピン１２とを備えて構成されている。金属ピン１２は、金属製の四番車受けピンとして機能する部品である。
【０００５】
アンテナ収納凹部４ａは、押上げ突起９が形成されている地板４の外周部の内側に略半周近くにわたって円弧状に形成されている。アンテナ収納凹部４ａの形成位置は、円形の地板４の中心に対して電池１０の収納凹部の反対側である。アンテナ収納凹部４ａに収納されるアンテナ８は、断面が略正方形の円弧状アンテナコア８ａに巻線が施されて構成されている。
【０００６】
電池枠２０は円形の地板４の半分を覆う程の略三角形のプラスチック板材であり、左右２つの領域に分かれる。右側は電池収納凹部が形成された領域であり、左側はアンテナ収納凹部４ａに近接する円弧を有する領域である。電池枠２０は、回路基板６の裏面に部分的に接して配置されている。従って、プラスチック材の輪列受５は、地板４と電池枠２０の間に回路基板６を挟んで配置されている。
【０００７】
アンテナ８は、ムーブメントの表側から裏側に殆ど達する程の断面を有する大きな部品である。従って、アンテナ８は、その裏面側が回路基板６の裏面から突出している。アンテナ８の回路基板６の裏面からの突出量は回路基板６の厚さの３倍程度である。
【０００８】
金属ピン１２は、一端にフランジが形成されたフランジ付金属ピンである。そして、電池枠２０には金属ピン１２が上方から挿入される段付貫通穴１３が形成されている。金属ピン１２の他端は電池枠２０の裏面から突出している。金属ピン１２の電池枠２０の裏面からの突出量は、電池枠２０の厚さの半分程度である。
【０００９】
地板４に一体に形成された押上げ突起９は、円形の地板４の外周部に間隔をおいて右側に３個且つ左側に３個、概ね左右対称に配置されている。押上げ突起９は円錐状先端部を有する小円柱状突起である。押上げ突起９の電池枠２０の裏面からの突出量、従ってムーブメントの裏面からの突出量は、金属ピンの電池枠２０の裏面からの突出量よりも僅かに大きくしてある。要するに、押上げ突起９の先端はアンテナの裏面側よりも突出し、且つ金属ピン１２の先端よりも突出しているのである。
【００１０】
上述の如きムーブメントにおいて、時針１６を筒車の先端に、分針１５を筒状の二番車の支軸先端に、そして秒針１４を四番車の支軸先端にそれぞれ取り付ける針付け作業は、作業台に置かれた針付け用金属板１７を用いて、組立て作業員により行われる。即ち、図５に示す如く、針付け直前の状態まで組み立てられたムーブメントは金属板１７の上に載置される。すると、円形の地板４の外周部に略等角度間隔に形成されている押上げ突起９の先端部は、針付け用金属板１７の表面に形成された所定の浅い載置穴に入る。同時に、電池枠２０の段付貫通穴１３に配置された金属ピン１２の先端は針付け用金属板１７の表面に当接する。これによって、プラスチック材の輪列受５に挫屈や破壊を生じさせることなく、従ってアンテナ８の破壊を生じさせることなく、組立作業者は電波時計の針付け作業を行うことができる。
【００１１】
次に、図６は電波時計の外装の裏蓋３を上述の金属板と兼用した針付け構造を示す。図６において、アンテナ８とムーブメントの構成は、上述の図４と図５に示したものと同じである。このような構造であるので、プラスチック材の輪列受に挫屈や破壊を生じさせることなく、従ってアンテナの破壊を生じさせることなく、組立作業者は電波時計の針付け作業を行うことができる。
【００１２】
しかしながら、上述の従来の針付け構造、即ち、金属製の四番車受けピンをプラスチック材の電池枠に備え、且つ円形の地板の外周部に複数の押上げ突起を略等角度間隔で設けた針付け構造は、平面的なサイズが大きくなるという問題がある。複数の押上げ突起を略等角度間隔で設けるためのスペースを円形の地板の外周部に余分に必要とするものであるからである。逆に、電波時計の平面的なサイズを大きくしない場合には、アンテナのサイズを大きくできないために必要な受信感度を確保できないという問題がある。
【００１３】
また、金属製の四番車受けピンをプラスチック材の電池枠に備え、且つ円形の地板の外周部に複数の押上げ突起を略等角度間隔で設けた上述した従来の針付け構造を備えた電波時計は、円形の地板の半分を覆う略三角形のプラスチック材の電池枠を採用しているが、電池収納凹部が形成されている領域とは反対側の領域の外縁はアンテナ収納凹部に近接している。このため、ムーブメントの裏面側でアンテナは露出している。従って、組立て作業員が誤ってアンテナに接触するという問題もある。
【００１４】
【特許文献１】特開２０００−１６２３３３号公報
【発明の開示】
【発明が解決しようとする課題】
【００１５】
本発明が解決しようとする課題は、針付け構造の主要構成要素として金属製の四番車受けピンを備えた電波時計において、電波時計の平面的サイズを小さくすると共に、アンテンナ収納凹部からアンテナが露出しないようにすることである。
【課題を解決するための手段】
【００１６】
上述の課題を解決するために、円形の地板とプラスチック材の輪列受を備えたムーブメントを有し、前記地板のアンテナ収納凹部にアンテナを収納した電波時計において、前記アンテナ収納凹部を前記地板の外周部にその外縁に近づけて形成し、前記ムーブメントの裏側にプラスチック材の針押し受座を配置し、四番車の四番真と或る一定の距離を設けて四番車受けピンを前記プラスチック材の針押し受座に取り付け、更に前記アンテナの配置に影響されない前記地板の外周部に複数の押上げ突起を設けた。
【発明の効果】
【００１７】
本発明により、針付け構造の主要構成要素として四番車受けピンを備えた電波時計において、電波時計の平面的サイズを小さくすると共に、アンテンナ収納凹部からアンテナが露出しないようにすることができた。また、四番車受けピンを取り付けたプラスチック材の針押し受座をアンテナカバーと兼用したので、部品点数の増加を抑えることができた。
【発明を実施するための最良の形態】
【００１８】
本発明は、円形の地板とプラスチック材の輪列受を備えたムーブメントを有し、前記地板のアンテナ収納凹部にアンテナを収納した電波時計において、前記アンテナ収納凹部を前記地板の外周部にその外縁に近づけて形成した。そして、前記ムーブメントの裏側にプラスチック材の針押し受座を配置し、四番車の四番真と或る一定の距離を設けて四番車受けピンを前記プラスチック材の針押し受座に取り付けた。更に、前記アンテナの配置に影響されない前記地板の外周部に複数の押上げ突起を設けた。
【実施例１】
【００１９】
本発明の実施例１の携帯型電波時計は、図１のムーブメントの裏側の平面図、及び図２のムーブメントの裏側を下にした断面図に示す如く、その外周部に５個の押上げ突起９が形成された円形の地板４と、地板４に取り付けられた回路基板６と、プラスチック材の輪列受５に保持された輪列と、地板４のアンテナ収納凹部４に収納されたアンテナ８と、プラスチック材の針押し受座として機能するアンテナカバー１８と、アンテナカバー１８に取り付けられた金属ピン１２と、電池収納凹部に収納された電池を備えて構成されている。金属ピン１２は、金属製の四番車受けピンとして機能する部品である。なお、金属ピン１２の代わりに、金属ピンと同様の機能を有すれば金属である必要は無く、プラスチック製のピンを用いてもよい。
【００２０】
アンテナ収納凹部４ａは、押上げ突起９が形成されている地板４の外周部に部分的に入り込んで、略半周近くにわたって地板４に円弧状に形成されている。即ち、前記アンテナ収納凹部４ａは、円形の地板４の外周部にその外縁に近づけて形成されている。アンテナ収納凹部４ａの形成位置は、円形の地板４の中心に対して電池１０の収納凹部の反対側である。アンテナ収納凹部４ａに収納されるアンテナ８は、断面が略正方形の円弧状フェライトコア８ａに巻線が施されて構成されている。
【００２１】
アンテナカバー１８は、円形の地板４の約４分の３を覆う程の略半円形のプラスチック板材であり、回路基板６の裏面に部分的に接して配置されている。従って、プラスチック材の輪列受５は、地板４とアンテナカバー１８の間に回路基板６を挟んで配置されている。アンテナカバー１８の外周領域、即ちアンテナカバー部１８ｂは、アンテナ収納凹部４ａに収納された湾曲したアンテナ８をムーブメントの裏側で全面的にカバーしている。
【００２２】
アンテナ８は、ムーブメントの表側から裏側に殆ど達する程の断面を有する大きな部品である。従って、アンテナ８は、その裏面側が回路基板６の裏面から突出している。アンテナ８の回路基板６の裏面からの突出量は回路基板６の厚さの３倍程度である。
【００２３】
金属ピン１２は、一端にフランジが形成されたフランジ付金属ピンである。そして、プラスチック材の針押し受座として機能するアンテナカバー１８には、その針押し受座部１８ａにフランジ付金属ピンが上方から挿入される段付貫通穴１３が形成されている。金属製ピン１２の他端はアンテナカバー１８の裏面から突出している。金属ピン１２のアンテナカバー１８の裏面からの突出量は、アンテナカバー１８の針押し受座部１８ａの厚さと同程度である。
【００２４】
地板４に一体に形成された押上げ突起９は、円形の地板の外周部に間隔をおいて右側に３個且つ左側に２個配置されている。また、アンテナカバー１８にも１個の押上げ突起１９が設けられている。押上げ突起１９が設けられている位置は、アンテナカバー部１８ｂに隣接した針押し受座部１８ａの円弧の中心である。これらの押上げ突起９と１９は円錐状先端部を有する小円柱状突起である。押上げ突起９と１９のアンテナカバー１８の裏面からの突出量は、金属ピン１２のアンテナカバー１８の裏面からの突出量よりも僅かに大きくしてある。要するに、押上げ突起９と１９の先端はアンテナ８の裏面側よりも突出し、且つ金属ピン１２の先端よりも突出しているのである。
【００２５】
上述の如きムーブメントにおいて、時針１６を筒車の先端に、分針１５を筒状の二番車の支軸先端に、そして秒針１４を四番車の支軸先端にそれぞれ取り付ける針付け作業は、作業台に置かれた針付け用金属板１７を用いて、組立て作業員により行われる。即ち、図２に示す如く、針付け直前の状態まで組み立てられたムーブメントは金属板１７の上に載置される。すると、円形の地板４の外周部に略等角度間隔に形成されている押上げ突起９の先端部と、アンテナカバー１８に形成されている押上げ突起１９の先端部は、針付け用金属板１７の表面に形成された所定の浅い載置穴に入る。同時に、アンテナカバー１８の段付貫通穴１３に配置された金属ピン１２の先端は針付け用金属板１７の表面に当接する。これによって、プラスチック材の輪列受５に挫屈や破壊を生じさせることなく、従ってアンテナの破壊を生じさせることなく、組立作業者は電波時計の針付け作業を行うことができる。
【００２６】
次に、図３は実施例１の変形例のムーブメントの裏側を下にした断面図である。即ち、この実施例１の変形例の電波時計は、その外周部に５個の押上げ突起が形成された円形の地板４と、地板４に取り付けられた回路基板６と、プラスチック材の輪列受５に保持された輪列と、地板４のアンテナ収納凹部４ａに収納されたアンテナ８と、プラスチック材の針押し受座として機能する部材であって、１個の押上げ突起１９が形成されたアンテナカバー１８と、アンテナカバー１８に取り付けられた金属ピン１２と、電池収納凹部に収納された電池１０とで構成された電波時計において、裏蓋３を実施例１の金属板１７と兼用したことを特徴とするものである。このような構造であるので、プラスチック材の輪列受５に挫屈や破壊を生じさせることなく、従ってアンテナの破壊を生じさせることなく、組立作業者は電波時計の針付け作業を行うことができる。
【図面の簡単な説明】
【００２７】
【図１】本発明の実施例１のムーブメントの裏側の平面図である。
【図２】本発明の実施例１のムーブメントの裏側を下にした断面図である。
【図３】本発明の実施例１の変形例のムーブメントの裏側を下にした断面図である。
【図４】従来の電波時計のムーブメントの裏側の平面図である。
【図５】従来の電波時計のムーブメントの裏側を下にした断面図である。
【図６】従来の電波時計の変形例のムーブメントの裏側を下にした断面図である。
【符号の説明】
【００２８】
１  ケース
２  ガラス
３  裏蓋
４  地板
４ａ  アンテナ収納凹部
５  輪列受
６  回路基板
７  文字板
８  アンテナ
８ａ  円弧状アンテナコア
９  押上げ突起
１０  電池
１１  四番真
１２  金属ピン
１３  段付貫通穴
１４  秒針
１５  分針
１６  時針
１７  金属板
１８  アンテナカバー
１８ａ  針押し受座部
１８ｂ  アンテナカバー部
１９  押上げ突起
２０  電池枠
【図１】
2006234436.tif 000003
【図２】
2006234436.tif 000004
【図３】
2006234436.tif 000005
【図４】
2006234436.tif 000006
【図５】
2006234436.tif 000007
【図６】
2006234436.tif 000008